【手続補正書】
【提出日】平成17年2月24日(2005.2.24)
【手続補正１】
【補正対象書類名】明細書
【補正対象項目名】特許請求の範囲
【補正方法】変更
【補正の内容】
【特許請求の範囲】
【請求項１】  一定量のポリブタジエン、遊離基源及び少なくとも一つの芳香族成分を含むcis−trans触媒の転換反応から製造した材料を含むゴルフボールであって、以下を含むポリブタジエン反応生成物を形成するのに十分な温度で該反応が起こる、ゴルフボール：
転換反応の前に存在するtrans−ポリブタジエンの量より多くの量のtrans−ポリブタジエン；及び
少なくとも一つの芳香族成分を含むcis−trans触媒、ここで該芳香族成分は式(Ｒ1)x−Ｒ3−Ｍ−Ｒ4−(Ｒ2)yを含み、式中Ｒ1及びＲ2はそれぞれ水素又は置換若しくは未置換のＣ1-20の直鎖の、分岐した若しくは環状のアルキル、又はアルコキシ基又は単環式、多環式若しくは縮合環式Ｃ6〜Ｃ24の芳香族基であり；ｘ及びｙはそれぞれ０から５の整数であり；Ｒ3及びＲ4をそれぞれ単環式、多環式若しくは縮合環式Ｃ6〜Ｃ24の芳香族基から選択し；かつＭはアゾ基又は金属成分を含み、
この場合、該ポリブタジエン反応生成物がゴルフボールコアの少なくとも一つの部分を形成し、該コアは第１の量のtrans−ポリブタジエンを有する中心と第２の量のtrans−ポリブタジエンを有する表面とを有し、第１の量が第２の量より少なくとも約６％少ない。
【請求項２】  ６０％より大きいディンプルカバレッジ、３５〜８０のショアＤの硬度又は３．４５MPa（５００psi）より大きい曲げ弾性率の少なくとも一つを有するカバーをゴルフボールが有し、ゴルフボールが５０〜１２０の圧縮又は０．７より大きい反発係数の少なくとも一つを有する、請求項１のゴルフボール。
【請求項３】  ポリブタジエン反応生成物が０℃で測定した第２の動的こわさの１３０％より小さい−５０℃で測定した第１の動的こわさを有する、請求項１のゴルフボール。
【請求項４】  Ｍがテルル又はセレンの少なくとも一つを含む、請求項１のゴルフボール。
【請求項５】  cis−trans触媒がポリブタジエン１００部当たり０．１〜１２部の量で存在する、請求項１のゴルフボール。
【請求項６】  ポリブタジエン反応生成物が２％より少ないビニルアイソマーを含む、請求項１のゴルフボール。
【請求項７】  さらに加硫促進剤を含む、請求項１のゴルフボール。
【請求項８】  ゴルフボールがさらにカバー及びコアとカバーの間に配設した中間層を含む、請求項１のゴルフボール。
【請求項９】  以下の工程を含むゴルフボールの製造方法：
（ａ）少なくとも一つの式(Ｒ1)x−Ｒ3−Ｍ−Ｒ4−(Ｒ2)yを有する芳香族成分を含むcis−trans触媒；（ｂ）遊離基源；及び（ｃ）全ポリマー成分の７０％より多い量で存在するcis−ポリブタジエン成分を含む第１の反発弾性ポリマー成分を組み合わせる工程；
少なくとも一部分のcis−ポリブタジエン成分をtrans−ポリブタジエン成分に転換するのに十分な温度で、５〜１８分、第１の反発弾性ポリマー成分の一部分を第２の反発弾性ポリマー成分に転換する工程、この工程において、第２の反発弾性ポリマー成分におけるポリブタジエンの少なくとも１０％はtrans−ポリブタジエンでありビニル−ポリブタジエンは７％より少ない；及び
第２の反発弾性ポリマー成分をゴルフボールの少なくとも一部分へ形成する工程、式中Ｒ1及びＲ2はそれぞれ水素又は置換若しくは未置換のＣ1-20の直鎖の、分岐した若しくは環状のアルキル、又はアルコキシ基又は単環式、多環式若しくは縮合環式Ｃ6〜Ｃ24の芳香族基であり；ｘ及びｙはそれぞれ０から５の整数であり；Ｒ3及びＲ4をそれぞれ単環式、多環式若しくは縮合環式Ｃ6〜Ｃ24の芳香族基から選択し；かつＭはアゾ基又は金属成分を含み、この場合、該部分は第１の量のtrans−ポリブタジエンを有する中心と第２の量のtrans−ポリブタジエンを有する表面とを有し、第１の量が第２の量より少なくとも約６％少ない。
【請求項１０】  ポリブタジエン成分が第１の反発弾性ポリマー成分全量の少なくとも８０％の量で存在するcis−ポリブタジエンを含む、請求項９の方法。
【請求項１１】  Ｒ3及びＲ4をそれぞれＣ6〜Ｃ10の芳香族基から選択しかつＲ1及びＲ2をそれぞれ置換若しくは未置換のＣ1-10の直鎖の、分岐した若しくは環状のアルキル、又はアルコキシ基又はＣ6〜Ｃ10の芳香族基から選択する、請求項９の方法。
【請求項１２】  Ｍがテルル又はセレンの少なくとも一つを含む、請求項９の方法。
【請求項１３】  cis−trans触媒が全反発弾性ポリマー成分１００部当たり０．１〜２５部の量で存在する、請求項９の方法。
【請求項１４】  cis−trans転換が容易になるのに十分な量で促進剤を加えることをさらに含む、請求項９の方法。
【請求項１５】  促進剤を、スルフェンアミド、チアゾール、ジチオカルバメート、チウラム、キサンテート、チアジアジン、チオ尿素、グアナジン又はアルデヒド−アミンの少なくとも一つを含むように選択する、請求項１４の方法。
【請求項１６】  十分量のポリブタジエン、遊離基源及び少なくとも一つの式(Ｒ1)x−Ｒ3−Ｍ−Ｒ4−(Ｒ2)yを有する芳香族成分を含むcis−trans触媒の転換反応から製造した材料を含むゴルフボールであって、以下を含むポリブタジエン反応生成物を形成するのに十分な温度で該反応が起こる、ゴルフボール：
転換反応の前に存在するtrans−ポリブタジエンの量より多くの量のtrans−ポリブタジエン；及び
少なくとも一つの芳香族成分を含むcis−trans触媒、ここで該反応生成物が第１の硬度を有する中心と第２の硬度を有する表面を有する球体含み、第２の硬度は第１の硬度の１０％より大きく第１の硬度と相違しており、該反応生成物が０℃で測定した第２の動的こわさの１３０％より小さい−５０℃で測定した第１の動的こわさを有し、式中Ｒ1及びＲ2はそれぞれ水素又は置換若しくは未置換のＣ1-20の直鎖の、分岐した若しくは環状のアルキル、又はアルコキシ基又は単環式、多環式若しくは縮合環式Ｃ6〜Ｃ24の芳香族基であり；ｘ及びｙはそれぞれ０から５の整数であり；Ｒ3及びＲ4をそれぞれ単環式、多環式若しくは縮合環式Ｃ6〜Ｃ24の芳香族基から選択し；かつＭはアゾ基又は金属成分を含む。
【請求項１７】  以下の工程を含むゴルフボールの製造方法：
（ａ）少なくとも一つの式(Ｒ1)x−Ｒ3−Ｍ−Ｒ4−(Ｒ2)yを有する芳香族成分を含むcis−trans触媒；（ｂ）遊離基源；及び（ｃ）全ポリマー成分の７０％より多い量で存在するcis−ポリブタジエン成分を含む第１の反発弾性ポリマー成分を組み合わせる工程；
少なくとも一部分のcis−ポリブタジエン成分をtrans−ポリブタジエン成分に転換するのに十分な温度で、５〜１８分、第１の反発弾性ポリマー成分の一部分を第２の反発弾性ポリマー成分に転換する工程、この工程において、第２の反発弾性ポリマー成分におけるポリブタジエンの少なくとも１０％はtrans−ポリブタジエンでありビニル−ポリブタジエンは７％より少ない；及び
第２の反発弾性ポリマー成分をゴルフボールの少なくとも一部へ形成する工程、この工程において第２の反発弾性成分は第１の硬度を有する中心と第２の硬度を有する表面を有する球体含み、第２の硬度は第１の硬度の１０％より大きく第１の硬度と相違しており、かつ式中Ｒ1及びＲ2はそれぞれ水素又は置換若しくは未置換のＣ1-20の直鎖の、分岐した若しくは環状のアルキル、又はアルコキシ基又は単環式、多環式若しくは縮合環式Ｃ6〜Ｃ24の芳香族基であり；ｘ及びｙはそれぞれ０から５の整数であり；Ｒ3及びＲ4をそれぞれ単環式、多環式若しくは縮合環式Ｃ6〜Ｃ24の芳香族基から選択し；かつＭはアゾ基又は金属成分を含む。
【請求項１８】  以下を含むゴルフボールの製造方法：
（ａ）少なくとも一つの式(Ｒ1)x−Ｒ3−Ｍ−Ｒ4−(Ｒ2)yを有する芳香族成分を含むcis−trans触媒；（ｂ）遊離基源；及び（ｃ）全ポリマー成分の７０％より多い量で存在するcis−ポリブタジエン成分を含む第１の反発弾性ポリマー成分を組み合わせる工程；
少なくとも一部分のcis−ポリブタジエン成分をtrans−ポリブタジエン成分に転換するのに十分な温度で、５〜１８分、第１の反発弾性ポリマー成分の一部分を第２の反発弾性ポリマー成分に転換する工程、この工程において、第２の反発弾性ポリマー成分におけるポリブタジエンの少なくとも１０％はtrans−ポリブタジエンでありビニル−ポリブタジエンは７％より少ない；及び
第２の反発弾性ポリマー成分をゴルフボールの少なくとも一部へ形成する工程、この工程において、第２の反発弾性成分は０℃で測定した第２の動的こわさの約１３０％より小さい−５０℃で測定した第１の動的こわさを有し、式中Ｒ1及びＲ2はそれぞれ水素又は置換若しくは未置換のＣ1-20の直鎖の、分岐した若しくは環状のアルキル、又はアルコキシ基又は単環式、多環式若しくは縮合環式Ｃ6〜Ｃ24の芳香族基であり；ｘ及びｙはそれぞれ０から５の整数であり；Ｒ3及びＲ4をそれぞれ単環式、多環式若しくは縮合環式Ｃ6〜Ｃ24の芳香族基から選択し；かつＭはアゾ基又は金属成分を含む。